(57)【要約】【課題】簡便な構成で、薄厚金属板の位置を固定して各フランジ間への取り付けが容易に行えて、しかも各フランジ間の封止が確実になされる破裂板式安全装置を提供する。【解決手段】本実施例の破裂板式安全装置１００は、環状のセンターリング１と、円状の薄厚金属板２と、Ｏリング１０と、アウターリング２０と、環状のサポートリング３とからなる。また、薄厚金属板２は、端面部７と凹面部９とからなり、この凹面部９には複数のスリット５が設けられ、センターリング１の高圧側管継手フランジ１１０側の端面６と薄厚金属板１の端面部７とサポートリング３の端面８とが溶接されてセンターリング１と薄厚金属板２とサポートリング３とが一体ユニット化されて、薄厚金属板１の位置が固定されると共に溶接されたセンターリング１と薄厚金属板２とサポートリング３との間の封止がなされる。【選択図】図１
2014052053.tif 000002
【特許請求の範囲】
【請求項１】
対向する高圧側管継手フランジと低圧側管継手フランジの間に着脱自在に取り付けられて、各管継手フランジ間の封止をするＯリングを備える破裂板式安全装置であって、
環状のセンターリングと、該センターリングの高圧側管継手フランジ側の端面に取り付けられる円状の薄厚金属板と、前記センターリングの外周面に嵌合される前記Ｏリングと、該Ｏリングの径方向外方に設けられ、内周面に該Ｏリングが設けられるアウターリングと、前記センターリングの高圧側管継手フランジ側の端面に取り付けられ、該センターリングとで前記薄厚金属板を挟持する環状のサポートリングとからなり、
前記薄厚金属板は、外周側に形成される平面状の端面部と、該端面部の内方に形成され、低圧側管継手フランジ側へ湾曲した凹面部とからなり、該凹面部には複数のスリットが設けられ、
前記センターリングの高圧側管継手フランジ側の端面と薄厚金属板の端面部とサポートリングの端面とが溶接されて前記センターリングと薄厚金属板とサポートリングとが一体ユニット化されて、該薄厚金属板の位置が固定されると共に該溶接されたセンターリングと薄厚金属板とサポートリングとの間の封止がなされること
を特徴とする破裂板式安全装置。
【請求項２】
請求項１において、前記サポートリングの内径は、前記凹面部に設けられたスリットの長さに対応した径とされることを特徴とする破裂板式安全装置。
【請求項３】
請求項１において、前記センターリングとアウターリングには、前記各管継手フランジを嵌合して位置固定する溝を形成する段部がそれぞれ設けられることを特徴とする破裂板式安全装置。
【発明の詳細な説明】
【技術分野】
【０００１】
本発明は、装置容器内の異常圧力に基づく装置の破損を防止するために設けられる破裂板式安全装置に関する。
【背景技術】
【０００２】
従来、装置容器内の異常圧力に基づく装置の破損を防止するために設けられる破裂板式安全装置が提案されている。
【０００３】
この種の破裂板式安全装置は、化学・原子力などの各プラントの装置容器内で過剰圧力や負圧の異常圧力が生じた時に、設けられた破裂板が速やかに破裂されることで装置内部の異常圧力を外部に放出し、装置容器内の圧力を速やかに装置が耐えうる圧力に抑えるために設けられる。
【０００４】
このように、破裂板式安全装置は、化学・原子力などの各プラントの装置のいわゆるウィークスポットとなり、装置内の異常圧力から装置を保護する安全装置として機能する。なお、この種の破裂板式安全装置は、装置容器内に内蔵される腐食性の強い等の外部への漏れが許されない流体を封止する機能も併せ持つ。
【０００５】
このような破裂板式安全装置に適用される破裂板は、破裂面が平面又は破裂圧力が加わる方向へドーム状に成形され、材料の引張り強さの限界で破裂又は開口する引張型と、破裂面が破裂圧力が加わる方向とは反対方向にドーム状即ち凹状をなし、破裂圧力はこのドームの頭頂部に作用するものであり、設計圧力にて材料の座屈強さの限界で座屈反転して破裂開口する反転型とに大別される。
【０００６】
上述の引張型の破裂板を容器内が真空圧となる装置に用いる場合、破裂板式安全装置は、この真空圧と外部圧力との差圧を受ける破裂板を支えるためのバキュームサポートとも呼ばれる支持板を設けることを要する。これに対し、反転型の破裂板については、破裂面が既に破裂圧力が加わる方向とは反対方向にドーム状をなしているので、バキュームサポートを設けることを要しない。
【０００７】
上述の破裂板式安全装置として、例えば特許文献１には、内部を外部に対し低圧にして用いる、第一のフランジを有する容器に取り付けられる圧力保護装置であって、薄厚の金属シート（以下、薄厚金属板と称する。）と、Ｏリングと、外部の側に配置される破裂板となる薄厚金属板を支持する支持板を設け、外周部にＯリングの保持部を設けたセンターリングであって、薄厚金属板が配置される面と反対側に第一のフランジの管部に対する位置決め可能な突起を備えたセンターリングと、薄厚金属板の外部の側に配置される第二のフランジとを有し、第一のフランジと薄厚金属板との間に、Ｏリング及びセンターリングを挟むこととした圧力保護装置が提案されている。
【０００８】
また、特許文献２には、それぞれ端部に金属製フランジを気密に有する二つの金属製の管体と、いずれか一方のフランジに、上記管体が連通するように設けられた破裂板の保持部と、この保持部に溶接により上記管体の連通を遮断して設けられた金属製の破裂板とからなり、上記保持部がフランジのいずれか一方に溶接又は一体に形成された圧力逃し装置が提案されている。
【先行技術文献】
【特許文献】
【０００９】
【特許文献１】特許第４２７４８７４号公報
【特許文献２】特開平１０−８９５０７号公報
【発明の概要】
【発明が解決しようとする課題】
【００１０】
特許文献１に記載された圧力保護装置は、破裂板となる薄厚金属板が、Ｏリングと、支持板と、センターリングと共に第１のフランジ及び第２のフランジで挟み込み、クランプで固定する構成であるので、各フランジ間に取り付ける時に、位置決めが一定とならず、その結果取り付けた薄厚金属板が破裂する圧力にばらつきが生じ、即ち薄厚金属板の破裂性能にばらつきが生じる問題があった。
【００１１】
また、このような構成であるので、薄厚金属板、Ｏリング、支持板、センターリングの第１のフランジ及び第２のフランジへの取り付けの際や、上記破裂する圧力のばらつきを抑えるように薄板金属板の位置決めを一定とする際には、それぞれ工数を要して不経済的となる問題があった。
【００１２】
また、上述の圧力保護装置は引張型であり、装置内容器の圧力が真空圧である場合に用いるので、上述のように支持板を設けることが必須となり、部品点数が増えて不経済的となってしまう問題があった。
【００１３】
また、特許文献２に記載された圧力逃し装置は、破裂板が溶接された保持部が二つのフランジのいずれかに溶接される又は一体化されるために、各フランジから着脱が容易に行えない問題があった。また、この圧力逃し装置は、破裂板が圧力放出方向に対して、破裂面が平面又は破裂圧力が加わる方向へドーム状に成形されているのにもかかわらず、バキュームサポートを設けていないので、容器内部の圧力が真空圧である場合においての使用に耐え得るものではない。
【００１４】
本発明は、かかる点に鑑みて、装置容器内が真空雰囲気である装置への使用に好適であり、簡便な構成で、薄厚金属板の位置を固定して各フランジ間への取り付けが容易に行えて、しかも各フランジ間の封止が確実になされる破裂板式安全装置を提供することを目的とする。
【課題を解決するための手段】
【００１５】
本発明の破裂板式安全装置は、対向する高圧側管継手フランジと低圧側管継手フランジの間に着脱自在に取り付けられて、各管継手フランジ間の封止をするＯリングを備える破裂板式安全装置であって、
環状のセンターリングと、該センターリングの高圧側管継手フランジ側の端面に取り付けられる円状の薄厚金属板と、前記センターリングの外周面に嵌合される前記Ｏリングと、該Ｏリングの径方向外方に設けられ、内周面に該Ｏリングが設けられるアウターリングと、前記センターリングの高圧側管継手フランジ側の端面に取り付けられ、該センターリングとで前記薄厚金属板を挟持する環状のサポートリングとからなり、
前記薄厚金属板は、外周側に形成される平面状の端面部と、該端面部の内方に形成され、低圧側管継手フランジ側へ湾曲した凹面部とからなり、該凹面部には複数のスリットが設けられ、
前記センターリングの高圧側管継手フランジ側の端面と薄厚金属板の端面部とサポートリングの端面とが溶接されて前記センターリングと薄厚金属板とサポートリングとが一体ユニット化されて、該薄厚金属板の位置が固定されると共に該溶接されたセンターリングと薄厚金属板とサポートリングとの間の封止がなされることを特徴としている。
【００１６】
本発明の破裂板式安全装置は、また、前記センターリングの高圧側管継手フランジ側の端面と薄厚金属板の端面部とサポートリングの端面との溶接は、シール溶接によりなされることを特徴としている。
【００１７】
本発明の破裂板式安全装置は、また、前記センターリングとアウターリングには、前記各管継手フランジを嵌合して位置固定する溝を形成する段部がそれぞれ設けられることを特徴としている。
【発明の効果】
【００１８】
本発明の破裂板式安全装置は、上述の構成であるので、薄厚金属板の位置が固定されると共に溶接されたセンターリングと薄厚金属板とサポートリングとの間の封止がなされるために、簡便な構成で、薄厚金属板の位置を固定して各フランジ間への取り付けが容易に行えて、しかも各フランジ間の封止が確実になされる破裂板式安全装置を提供することができる。
【図面の簡単な説明】
【００１９】
【図１】本発明の実施例の破裂板式安全装置の構成を示す図であり、図２のＡ−Ａ矢視断面図である。
【図２】本発明の実施例の破裂板式安全装置の平面図である。
【図３】本発明の実施例の破裂板式安全装置に用いる薄厚金属板の平面図である。
【発明を実施するための形態】
【００２０】
以下、本発明の実施例を図面に基づいて説明する。本実施例の破裂板式安全装置は、外部の大気圧雰囲気に開放された配管の端部に設けた管継手フランジと、化学・原子力などの各プラントの装置容器に設けられ、圧力逃し用の配管の端部に接続された管継手フランジとの間に取り付けられて用いられる。
【００２１】
この本実施例の破裂板式安全装置は、装置容器内が大気圧より低圧の雰囲気において用いることができるが、後述する構成であるので、装置容器内が真空圧雰囲気の場合での使用に好適である。以下の実施例においては、装置容器内が真空雰囲気である場合について説明することにし、上記各管継手フランジは、それぞれ高圧側管継手フランジと低圧側管継手フランジと称する。
【００２２】
また、以下説明する本実施例の破裂式安全装置は、センターリングと薄厚金属板とサポートリングとが溶接されて一体ユニット化することで、簡便な構成で、薄厚金属板の位置を固定して各フランジ間への取り付けが容易に行えて、しかも各フランジ間の封止が確実になされる破裂板式安全装置を提供することができる。
【実施例】
【００２３】
図１は、本発明の実施例である破裂板式安全装置１００の構成を示す図、及び図２は本発明の実施例の破裂板式安全装置の平面図であり、図１は図２のＡ−Ａ矢視断面図である。
【００２４】
本実施例の破裂板式安全装置１００は、対向する高圧側管継手フランジ１１０と低圧側管継手フランジ１２０の間に着脱自在に取り付けられるものであり、各管継手フランジ１１０、１２０間の封止をするＯリング１０を備える。
【００２５】
また、本実施例の破裂板式安全装置１００は、環状のセンターリング１と、このセンターリング１の高圧側管継手フランジ１１０側の端面６に取り付けられる円状の薄厚金属板２と、センターリング１の外周面１１に嵌合される上記Ｏリング１０と、このＯリング１０の径方向外方に設けられ、内周面１２にこのＯリング１０が設けられるアウターリング２０と、上記センターリング１の端面６に取り付けられ、このセンターリング１とで薄厚金属板２を挟持する環状のサポートリング３とからなる。
【００２６】
また、上記薄厚金属板２は、外周側に形成される平面状の端面部７と、この端面部７の内方に形成され、低圧側管継手フランジ１２０側へ湾曲した凹面部９とからなり、この凹面部には複数のスリット５が設けられている。
【００２７】
また、上記センターリング１の端面６と薄厚金属板２の端面部７とサポートリング３の端面８とが溶接されてこれらセンターリング１と薄厚金属板２とサポートリング３とが一体ユニット化されて、そして薄厚金属板２の位置が固定されると共にこれら溶接されたセンターリング１と薄厚金属板２とサポートリングとの間の封止がなされるようになっている。
【００２８】
本実施例の破裂板式安全装置１００は、以上のようにして構成され、各管継手フランジ１１０、１２０間に取り付けられて用いられる。この破裂板式安全装置１００について、以下詳細を説明する。
【００２９】
図１に示すように、環状のセンターリング１は、中空円筒状即ち環状に形成されており、円筒部１Ａと、この円筒部１Ａの外周に形成され、Ｏリング１０を嵌合する外周面１１を有する嵌合部１Ｂとから構成される。
【００３０】
この円筒部１Ａの両端は、平面をなす端面６がそれぞれ形成される。また、高圧側管継手フランジ１１０側の端面６は、後述する薄厚金属板２及びサポートリング３との溶接の際の薄厚金属板２の熱効率を考慮して開先部１５が形成されているが、この開先部１５は省略することもできる。
【００３１】
なお、このセンターリング１は、上述のように円筒部１Ａを設けずに、嵌合部１Ｂで構成し、この端面に薄厚金属板２及びサポートリング３との溶接をしてもよいが、上述のように円筒部１Ａを設けてその端面６に薄厚金属板２及びサポートリング３とを溶接することが製造上好ましい。
【００３２】
また、嵌合部１Ｂの外周面１１はセンターリング１の外周面１１となり、即ちセンターリング１の外周面１１には、Ｏリング１０が嵌合される。この外周面１１は、Ｏリングの径に対応して曲面１１Ａをなしている。これにより、Ｏリング１０は、曲面１１Ａに適合して嵌合されるため、嵌合後はセンターリング１から容易に離脱され難くなる。
【００３３】
また、センターリング１は、後述するように、薄厚金属板２、サポートリング３、Ｏリング１０及びアウターリング２０とで一体のユニットとして用いるため、円筒部１Ａの外径は、各フランジ１１０、１２０の内径１１１、１２１よりも小さく形成される。この構成であるので、破裂板式安全装置１００を各フランジ１１０、１２０間に取り付けた時、円筒部１Ａは、各フランジ１１０、１２０の内部に配置されることとなる。
【００３４】
図３は、本発明の実施例の破裂板式安全装置に用いる薄厚金属板の平面図である。図に示すように、薄厚金属版２は、円状に形成されており、外周側に形成される平面状の端面部７と、この端面部７の内方に形成され、低圧側管継手フランジ１２０側へ湾曲した凹面部９とからなる。したがって、この薄厚金属板２は、反転型の破裂板を形成している。なお、この薄厚金属板２の板厚は、数十μｍ程度とされる。
【００３５】
また、端面部７は、センターリング１の高圧側管継手フランジ１１０側の端面６に取り付けられて、後述するようにサポートリング３と共に溶接される。従って、この端面部７には、溶接部Ｗが形成されることとなる。
【００３６】
また、凹面部９に設けられる複数のスリット５は、図示するように十字状に２箇所にて形成されるが、３箇所以上にて形成してもよく、またスリット形状は円形等、別の形状としてもよい。また、このスリット５は、凹面部９の表面又は裏面若しくは両面に形成してもよい。これにより、薄厚金属板２は、装置容器内に過剰圧力が生じた際に、この過剰圧力に基づいて凹面部９が座屈反転してスリット５部分を起点にしてサポートリング３の口径を介して破裂して大気圧側に過剰圧力が放出されるようになっている。
【００３７】
なお、本実施例において、スリット５の長さは、図示の点線で示すように、サポートリング３の口径（内径）に対応する長さとしているが、サポートリング３の口径と対応しない別の長さであってもよい。
【００３８】
本実施例において、薄厚金属板２は、スリット５の形状や凹面部９の形状・厚みを適宜変更することで、所定の圧力で破裂するようにすることができる。以下、破裂する所定圧力を破壊圧力と称する。なお、上述の薄厚金属板２の破裂には温度も影響するので、破壊圧力の設定には温度も考慮される。
【００３９】
サポートリング３は、内径φの孔４を有する中空円筒状即ち環状に形成されており、両端は、平面をなす端面７がそれぞれ形成される。また、センターリング１側の端面８は、薄厚金属板２の端面部７を介在させてセンターリング１の端面６と接触し、薄厚金属板２を挟持する。また、センターリング１側の端面７は、後述する薄厚金属板２及びサポートリング３との溶接の際の薄厚金属板２の熱効率を考慮して開先部１６が形成されているが、この開先部１６は省略することもできる。
【００４０】
また、センターリング１の端面６側の孔４の縁は角部の面取りがなされて面取り部４０が形成されている。この面取り部４０は、サポートリング３の製作上安全性を考慮して設けられるものであり、図に示す以外に曲面にて形成（Ｒ面取り）してもよく、また面取り部４０を形成しなくともよい。
【００４１】
以上により、サポートリング３の内径φの孔４が、本実施例の破裂式安全装置の破裂板の口径となるので、装置容器内の過剰圧力による吹出し面積はこの孔４の内径φに基づいて設定される。
【００４２】
Ｏリング１０は、円環リング状に形成されており、センターリング１とアウターリング２０間に嵌合され、各管継手フランジ１１０、１２０間に破裂式安全装置１００を取り付けた際に、これら各フランジ間の封止をする機能を有する。即ち、Ｏリング１０は、本実施例の破裂式安全装置１００における、外部封止機能を有するものである。なお、このＯリングは、各管継手フランジの端面１１２、１２２に接触し、これら各管継手フランジ１１０、１２０によって押し潰されることで封止機能を働かせる。
【００４３】
アウターリング２０は、中空円筒状即ち環状に形成されており、円筒部２０Ａと、この円筒部２０Ａの内周に形成され、Ｏリング１０を嵌合する内周面１２を有する嵌合部２０Ｂとから構成される。
【００４４】
このアウターリング２０は、装置容器内の圧力上昇に基づくＯリング１０の膨張による、封止機能の低下を防ぐために、外側からこのＯリング１０を押さえつけるために設けられる。これにより、本実施例の破裂式安全装置１００におけるＯリングによる封止が確実になされる。なお、このアウターリング２０は、上述のように、外側からＯリング１０を押さえつける構成であればよく、嵌合部２０ＢにＯリングを嵌合する構成でなくともよい。
【００４５】
ここで、上記センターリング１とアウターリング２０には、各管継手フランジ１１０、１２０を嵌合して位置固定する溝３０を形成する段部３１、３２をそれぞれ設けてもよい。これにより、各フランジ１１０、１２０の破裂式安全装置１００への位置固定を確実にするとともに、Ｏリング１０による封止を確実にすることができる。
【００４６】
ここで、センターリング１、サポートリング３及びアウターリング２０の材質としては、オーステナイト系ステンレスのような鋼種で、例えばＳＵＳ３０４が用いられる。また、Ｏリング１０の材質としては、例えばバイトン（登録商標）のようなフッ素ゴムが用いられる。
【００４７】
また、薄厚金属板２の材質としては、オーステナイト系ステンレスのような鋼種で、例えば特に耐食性に優れるＳＵＳ３１６Ｌが用いられる。また、この薄厚金属板２は、樹脂コーティング等の皮膜処理を施して耐食性を向上するようにしてもよい。薄厚であるため、この薄厚金属板２は、特に高い耐食性が要求されるためである。
【００４８】
また、センターリング１、薄厚金属板２及びサポートリング３の材質は、溶接性を考慮すると、それぞれ同系統の材料を用いることが好ましい。
【００４９】
これらセンターリング１、薄厚金属板２、サポートリング３、Ｏリング１０及びアウターリング２０の材質は、上述の材質に限らず適用できるが、薄厚金属板２においては、装置容器内の流体に対して耐食性の優れるものが好適である。
【００５０】
本実施例の破裂式安全装置１００は、また、上記センターリング１の端面６と薄厚金属板２の端面部７とサポートリング３の端面８とが溶接されてこれらセンターリング１と薄厚金属板２とサポートリング３とが一体ユニット化される。ここで、サポートリング１のみに薄厚金属板２を溶接する構成とした場合、圧力がかかった場合に薄厚金属板２全体が浮いてしまい、正常に反転して破裂しなくなってしまう。本実施例の破裂式安全装置１００は、上述のようにセンターリング１とサポートリング３で薄厚金属板２を挟持してそれぞれを溶接しているために、薄厚金属板２全体が浮くことを防ぎ、凹面部９のみを上述のように反転させることができる。
【００５１】
また、センターリング１と薄厚金属板２とサポートリング３とを溶接することで薄厚金属板２の位置が固定されるので、ボルト締めで固定し、締付トルク値を管理する等の工数を必要とせず、容易に位置固定がなされ、即ち一定の位置に取りつかれて破裂板の性能のばらつきをなくすことができる。
【００５２】
また、上述の構成であるので、これら溶接されたセンターリング１と薄厚金属板２とサポートリングとの間の封止がなされるため、装置容器内の高真空状態でも空気が漏れて装置容器内の真空度の低下を防ぐことができるし、装置容器内の流体の漏れが許されない状況においても封止が確実になされる。
【００５３】
また、本実施例の破裂板式安全装置１００は、センターリング１と薄厚金属板２とサポートリング３とが溶接されてこれらセンターリング１と薄厚金属板２とサポートリング３とが一体ユニット化されているので、従来のように各部品を別個に組み合わせて設けることと比較して、取り扱いが容易となり、各管継手フランジ間への着脱が容易にでき、即ち交換が容易となり、メンテナンス性に優れる。
【００５４】
なお、上記のセンターリング１と薄厚金属板２とサポートリング３との溶接はシール溶接によって密封して溶接することが望ましい。このようにすることで、センターリング１と薄厚金属板２とサポートリング３との間の封止が確実になされる。なお、上記の溶接は、別の溶接法によりセンターリング１と薄厚金属板２とサポートリング３との間の封止をしてもよい。
【００５５】
以上のようにして構成される本実施例の破裂板式安全装置１００は、各管継手フランジ間に取り付けて用いられる。
【００５６】
本発明の実施例である破裂式安全装置は、上述の構成であるので、装置容器内が真空雰囲気である装置への使用に好適であり、簡便な構成で、薄厚金属板の位置を固定して各フランジ間への取り付けが容易に行えて、しかも各フランジ間の封止が確実になされる破裂板式安全装置を提供することができる。
【００５７】
なお、本発明の破裂式安全装置は、上述した実施例の構成に限られず、その他の構成を用いることができ、例えば、上記各管継手フランジを設ける配管の呼び径や装置容器内にて使用する流体に対応して、センターリング、薄厚金属板、サポートリング、Ｏリング及びアウターリングの材質・寸法を適宜変更して上述の実施例と同様の破裂式安全装置を提供することができ、上述の実施例と同様の効果を奏することができる。
【００５８】
また、本発明の破裂式安全装置は、各管継手フランジ双方の鍔部を挟持する図示しないクランプが設けられて、このクランプによる各継手フランジの抑え付けが可能となっているが、このため、アウターリングを設けずに、上述のように溶接され一体化されたセンターリングと薄厚金属板とサポートリングと、Ｏリングにより構成してもよく、この構成においても上述の実施例と同様の効果を奏することができる。
【符号の説明】
【００５９】
１…センターリング、２…薄厚金属版、３…サポートリング、５…スリット、６、８…端面、７…端面部、９…凹面部、１０…Ｏリング、２０…アウターリング、１１、１２…外周面、２４…抗張力体、２６…シース、３０…溝、１００…破裂板式安全装置、１１０、１２０…管継手フランジ、Ｗ…溶接部、φ…サポートリングの内径。
【図１】
2014052053.tif 000003
【図２】
2014052053.tif 000004
【図３】
2014052053.tif 000005
【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
対向する高圧側管継手フランジと低圧側管継手フランジの間に着脱自在に取り付けられて、各管継手フランジ間の封止をするＯリングを備える破裂板式安全装置であって、
環状のセンターリングと、該センターリングの高圧側管継手フランジ側の端面に取り付けられる円状の薄厚金属板と、前記センターリングの外周面に嵌合される前記Ｏリングと、該Ｏリングの径方向外方に設けられ、内周面に該Ｏリングが設けられるアウターリングと、前記センターリングの高圧側管継手フランジ側の端面に取り付けられ、該センターリングとで前記薄厚金属板を挟持する環状のサポートリングとからなり、
前記薄厚金属板は、外周側に形成される平面状の端面部と、該端面部の内方に形成され、低圧側管継手フランジ側へ湾曲した凹面部とからなり、該凹面部には複数のスリットが設けられ、
前記薄厚金属板の凹面部が低圧側管継手フランジ側へ湾曲した状態で、前記センターリングの高圧側管継手フランジ側の端面と前記低圧側管継手フランジ側へ湾曲した薄厚金属板の端面部とサポートリングの端面とが溶接されて前記センターリングと薄厚金属板とサポートリングとが一体ユニット化されて、該一体ユニット化された前記センターリングと薄厚金属板とサポートリングとが前記高圧側管継手フランジと低圧側管継手フランジの間に着脱自在に取り付けられて、該薄厚金属板の位置が固定されると共に該溶接されたセンターリングと薄厚金属板とサポートリングとの間の封止がなされること
を特徴とする破裂板式安全装置。
【請求項２】
請求項１において、前記サポートリングの内径は、前記凹面部に設けられたスリットの長さに対応した径とされることを特徴とする破裂板式安全装置。
【請求項３】
請求項１において、前記センターリングとアウターリングには、前記各管継手フランジを嵌合して位置固定する溝を形成する段部がそれぞれ設けられることを特徴とする破裂板式安全装置。
【手続補正２】
【補正対象書類名】明細書
【補正対象項目名】００３４
【補正方法】変更
【補正の内容】
【００３４】
図３は、本発明の実施例の破裂板式安全装置に用いる薄厚金属板の平面図である。図に示すように、薄厚金属板２は、円状に形成されており、外周側に形成される平面状の端面部７と、この端面部７の内方に形成され、低圧側管継手フランジ１２０側へ湾曲した凹面部９とからなる。したがって、この薄厚金属板２は、反転型の破裂板を形成している。なお、この薄厚金属板２の板厚は、数十μｍ程度とされる。
【手続補正３】
【補正対象書類名】明細書
【補正対象項目名】００３９
【補正方法】変更
【補正の内容】
【００３９】
サポートリング３は、内径φの孔４を有する中空円筒状即ち環状に形成されており、両端は、平面をなす端面８がそれぞれ形成される。また、センターリング１側の端面８は、薄厚金属板２の端面部７を介在させてセンターリング１の端面６と接触し、薄厚金属板２を挟持する。また、センターリング１側の端面８は、後述する薄厚金属板２及びサポートリング３との溶接の際の薄厚金属板２の熱効率を考慮して開先部１６が形成されているが、この開先部１６は省略することもできる。
【手続補正４】
【補正対象書類名】明細書
【補正対象項目名】００４０
【補正方法】変更
【補正の内容】
【００４０】
また、センターリング１側の端面８の孔４側の縁は角部の面取りがなされて面取り部４０が形成されている。この面取り部４０は、サポートリング３の製作上安全性を考慮して設けられるものであり、図に示す以外に曲面にて形成（Ｒ面取り）してもよく、また面取り部４０を形成しなくともよい。
【手続補正５】
【補正対象書類名】明細書
【補正対象項目名】００５０
【補正方法】変更
【補正の内容】
【００５０】
本実施例の破裂式安全装置１００は、また、上記センターリング１の端面６と薄厚金属板２の端面部７とサポートリング３の端面８とが溶接されてこれらセンターリング１と薄厚金属板２とサポートリング３とが一体ユニット化される。ここで、センターリング１のみに薄厚金属板２を溶接する構成とした場合、圧力がかかった場合に薄厚金属板２全体が浮いてしまい、正常に反転して破裂しなくなってしまう。本実施例の破裂式安全装置１００は、上述のようにセンターリング１とサポートリング３で薄厚金属板２を挟持してそれぞれを溶接しているために、薄厚金属板２全体が浮くことを防ぎ、凹面部９のみを上述のように反転させることができる。
【手続補正６】
【補正対象書類名】明細書
【補正対象項目名】００５９
【補正方法】変更
【補正の内容】
【００５９】
１…センターリング、２…薄厚金属板、３…サポートリング、５…スリット、６、８…端面、７…端面部、９…凹面部、１０…Ｏリング、２０…アウターリング、１１、１２…外周面、２４…抗張力体、２６…シース、３０…溝、１００…破裂板式安全装置、１１０、１２０…管継手フランジ、Ｗ…溶接部、φ…サポートリングの内径。
【手続補正７】
【補正対象書類名】図面
【補正対象項目名】図１
【補正方法】変更
【補正の内容】
【図１】
2014052053.tif 000006
【手続補正８】
【補正対象書類名】図面
【補正対象項目名】図２
【補正方法】変更
【補正の内容】
【図２】
2014052053.tif 000007